(57)【要約】【課題】本発明は、浴槽の水位と浴槽底部に設けたジェット噴射口の噴射力との関係に着目し、水位が低いときは噴射力を小さくしてジェット噴射口からの噴流が浴槽内外に飛散しないようにするとともに、入浴者が浴槽にはいると、ジェット噴射口の噴射力を増大させることができるようにしたジェットバスを提供する。【解決手段】浴槽１の底部１１にジェット噴射口２を設けたジェットバスにおいて、該浴槽１内の水位に応じて、該ジェット噴射口２からの上向き噴射力を制御したことを特徴とする。【選択図】　図１
2004141365.tif 000002
【特許請求の範囲】
【請求項１】
浴槽の底部にジェット噴射口を設けたジェットバスにおいて、該浴槽内の水位に応じて、該ジェット噴射口からの上向き噴射力を制御したことを特徴とするジェットバス。
【請求項２】
上記ジェット噴射口の許容最大上向き噴射力を、上記水位に比例させた請求項１記載のジェットバス。
【請求項３】
上記ジェット噴射口の上方に入浴者が存在するかどうかを検知する入浴者検知センサーを該浴槽に設けるとともに、該入浴者検知センサーが入浴者の存在を検知したとき、上記ジェット噴射口の噴射力を増大させた請求項１記載のジェットバス。
【請求項４】
上記入浴者検知センサーが入浴者の存在を検知したとき、ジェット噴射口の噴射力を、浴槽の水位が最大のときのジェット噴射口の許容最大上向き噴射力にした請求項１記載のジェットバス。
【請求項５】
上記ジェット噴射口の噴射力を、入浴者が、入浴中に制御できる請求項１記載のジェットバス。
【発明の詳細な説明】
【０００１】
【発明の属する技術分野】
本発明は、浴槽の底部に上向きジェット噴射口を設けたジェットバスに関するものである。
【０００２】
【従来の技術】
従来、浴槽の底部や側壁に複数個の気泡噴出ノズルを設けると共に、入浴者を検知する人体検知センサー設け、該入浴者の位置や姿勢に応じて気泡噴射方向を入浴者に向けるようにした気泡浴槽装置の制御方法があった（例えば、特許文献１参照。）。又、ジェット噴射口を設けた浴槽に水位検知器と温度検知器を設け、ジェット噴射口より上の水位で、かつ所要の温度時にジェット噴射がなされるようにしたジェットバスがあった（例えば、特許文献２参照。）。
【０００３】
【特許文献１】
特開平４−１４６７５３号公報（第１頁、図１）
【特許文献２】
特開平３−１４３４４５号公報（第１頁、図１）
【０００４】
【発明が解決しようとする課題】
特許文献１の気泡浴槽装置の制御方法は、浴槽の水位が下がったとき、浴槽底部に設けられた気泡噴射ノズルからの噴水が浴槽水面から飛び散るおそれがあった。特許文献２のジェットバスはジェット噴射口が浴槽の側面に設けてあり、ジェット噴射口からの噴流が浴槽外に飛散するという問題は記載されておらず、その水位検知器は、ジェット噴射の自動運転のためのものであった。
本発明は、浴槽の水位と浴槽底部に設けたジェット噴射口の噴射力との関係に着目し、水位が低いときは噴射力を小さくしてジェット噴射口からの噴流が浴槽内外に飛散しないようにするとともに、入浴者が浴槽に入ると、ジェット噴射口の噴射力を増大させることができるようにしたジェットバスを提供することを課題とする。
【０００５】
【課題を解決するための手段】
本発明は、上記課題を解決するために、次のような技術的手段を講じている。すなわち、請求項１記載の発明は、浴槽の底部にジェット噴射口を設けたジェットバスにおいて、該浴槽内の水位に応じて、該ジェット噴射口からの上向き噴射力を制御したことを特徴とするジェットバスである。このような構成により、浴槽内の水位が下がった場合でも、ジェット噴射口からの噴射力が抑制され、噴流が浴槽水面から、噴き出し飛び散ることを未然に防止できるのである。
【０００６】
請求項１記載のジェットバスにおいて、ジェット噴射口の許容最大上向き噴射力を、上記水位に比例させることが好ましい。このような構成により、入浴者が、入浴中に該噴射力を手動により最大値にセットしていた場合においても、噴流が浴槽水面から、噴き出し飛び散ることを未然に防止できる。
【０００７】
又、請求項１記載のジェットバスにおいて、ジェット噴射口の上方に入浴者が存在するかどうかを検知する入浴者検知センサーを該浴槽に設けるとともに、該入浴者検知センサーが入浴者の存在を検知したとき、上記ジェット噴射口の噴射力を増大させることが好ましい。このような構成により、入浴者が浴槽に入ったとき該噴射力が強化されて入浴者へのマッサージ効果が増大するとともに、浴槽から入浴者が出たときは水位が下がって該噴射力が弱まるので、噴流が浴槽水面から、噴き出し飛び散ることを防止でき、消費エネルギ−の節約を図ることができるのである。
【０００８】
更に、請求項１記載のジェットバスにおいて、入浴者検知センサーが入浴者の存在を検知したとき、ジェット噴射口の噴射力を、浴槽の水位が最大のときのジェット噴射口の許容最大上向き噴射力にすることが好ましい。このような構成により、噴流が浴槽水面から、噴き出し飛び散ることを防止しながら、マッサージ効果を最大にできるのである。
【０００９】
更に又、請求項１記載のジェットバスにおいて、ジェット噴射口の噴射力を、入浴者が、入浴中に制御できるようにすることが好ましい。このような構成により、入浴者の好みに応じて、該噴射力を調節できる。
【００１０】
【発明の実施の形態】
以下、本発明の好ましい実施の形態について、図面を参照してより詳細に説明する。図１は本発明のジェットバスに係る模型的断面図である。浴槽１の底部１１にはジェット噴射口２が設けられ該ジェット噴射口２の近傍に入浴者検知センサー３が併設されている。４は浴室壁面Ｗに設けた操作パネル、５は浴槽水循環用配管、６はエアー吸入装置、７はエアーパイプ、８は浴槽１内の浴槽水、９は浴槽１内に配管された浴槽水循環用５の先端における吸入口、Ｃは浴室天井Ｔの裏に設けられた制御ボックス、Ｐはポンプ、Ｓは水位センサー、Ｈは入浴者、Ｆは入浴者Ｈの足である。図１に示すように、入浴者Ｈが腰掛けた状態で浴槽１に入り、入浴者Ｈの足Ｆがジェット噴射口２の上に載せられたとき、入浴者検知センサー３がジェット噴射口２の上方に入浴者Ｈが存在していることを検知している。このときの浴槽水８の水位は水位センサーＳが検知している。この入浴者検知センサー３及び水位センサーＳの情報が制御ボックスＣに送られ、この情報に基づいて該制御ボックスＣがポンプＰとエアー吸入装置６とを駆動している。そのため浴槽水８は吸入口９からポンプＰに吸い込まれるとともに、浴槽１外の浴槽水循環用配管５を経由してジェット噴射口２から噴射される。このとき同時にエアー吸入装置６から吸い込まれたエアーが循環されてきた浴槽水８と混ざってジェット噴射口２から上方に噴射される。該ジェット噴射口２からの噴流は入浴者Ｈの足Ｆをマッサージするのである。
【００１１】
浴槽１内の浴槽水８の水位に応じて、該ジェット噴射口２からの上向き噴射力が制御されており、浴槽１内の水位が下がった場合は、ジェット噴射口２からの噴射力も小さくなる。このように抑制することにより、ジェット噴射口２からの噴流が浴槽水面から、噴き出し飛び散ることを未然に防止している。浴槽水８の水位に応じてジェット噴射口２の許容最大上向き噴射力は制限されているが、その噴射力をどの程度にするかは好みに応じて設定できる。
【００１２】
入浴者Ｈは入浴中において、浴室壁面Ｗに設けられた操作パネル４を操作することにより、制御ボックスＣを介してポンプＰ及びエアー吸入装置６を制御し、予め設定された許容最大上向き噴射力の範囲内で、好みの噴射力を選択できる。入浴することにより水位が高くなれば該水位に応じて噴射力も大きくなるようになっている。
【００１３】
浴槽１へ入浴者Ｈが入ったときの水位に見合った許容最大上向き噴射力が決められその範囲内で入浴者はジェット噴射口２の噴射力を調節できるが、入浴中の浴槽水８の水位が最高水位でない場合において、更にジェット噴射口２の噴射力を大きくしたいときは、入浴者Ｈが足Ｆ又は身体の一部をジェット噴射口２上に持ってくれば、入浴者検知センサー３がそれを検知し、ジェット噴射口２の噴射力が、最高水位のときの許容最大上向き噴射力に自動的に切り変わる。勿論この噴射力を、最高水位のときの許容最大上向き噴射力に切り替えるとき、ジェット噴射口２の上に足Ｆを載せた状態で操作パネル４を介して手動で行ってもよい。浴槽水８が最高水位でない状態で、ジェット噴射口２の噴射力を、水位が最高水位のときの許容最大上向き噴射力に切り替えても、入浴者Ｈの足Ｆ又は身体の一部がジェット噴射口２の上方に位置しているので、該噴流は浴槽水８の表面から飛散しないのである。
【００１４】
【発明の効果】
以上述べたように、請求項１記載の発明は、浴槽１の底部１１にジェット噴射口２を設けたジェットバスにおいて、該浴槽１内の水位に応じて、該ジェット噴射口２からの上向き噴射力を制御したから、浴槽１内の水位が下がった場合でも、ジェット噴射口２からの噴射力が抑制され、噴流が浴槽水面から、噴き出し飛び散ることを未然に防止できるのである。
【００１５】
請求項２記載の発明は、請求項１記載のジェットバスにおいて、ジェット噴射口２の許容最大上向き噴射力を、上記水位に比例させたから、入浴者Ｈが入浴中に該噴射力を手動により最大値にセットしていた場合においても、噴流が浴槽水面から、噴き出し飛び散ることを未然に防止できる。
【００１６】
請求項３記載の発明は、請求項１記載のジェットバスにおいて、ジェット噴射口２の上方に入浴者Ｈが存在するかどうかを検知する入浴者検知センサー３を該浴槽１に設けるとともに、該入浴者検知センサー３が入浴者Ｈの存在を検知したとき、上記ジェット噴射口２の噴射力を増大できるようにしたから、入浴者Ｈが浴槽１に入ったとき該噴射力が強化されて入浴者Ｈへのマッサージ効果が増大するとともに、浴槽１から入浴者Ｈが出たときは水位が下がって、該噴射力が弱まるので、噴流が浴槽水面から、噴き出し飛び散ることを防止でき、消費エネルギ−の節約を図ることができるのである。
【００１７】
又、請求項４記載の発明は、請求項１記載のジェットバスにおいて、入浴者検知センサー３が入浴者Ｈの存在を検知したとき、ジェット噴射口２の噴射力を、浴槽１の水位が最大のときのジェット噴射口２の許容最大上向き噴射力にしたから、噴流が浴槽水面から、噴き出し飛び散ることを防止しながら、マッサージ効果を最大にできるのである。
【００１８】
更に、請求項５記載の発明は、請求項１記載のジェットバスにおいて、ジェット噴射口２の噴射力を、入浴者Ｈが、入浴中に制御できるから、入浴者Ｈの好みに応じて、該噴射力を調節できるのである。
【図面の簡単な説明】
【図１】本発明のジェットバスに係る模型的断面図である。
【符号の説明】
１　　　　　浴槽
１１　　　　浴槽の底部
２　　　　　ジェット噴射口
３　　　　　入浴者検知センサー
４　　　　　操作パネル
５　　　　　浴槽水循環用配管
６　　　　　エアー吸入装置
７　　　　　エアーパイプ
８　　　　　浴槽水
９　　　　　浴槽水吸入口
Ｃ　　　　　制御ボックス
Ｆ　　　　　入浴者の足
Ｈ　　　　　入浴者
Ｐ　　　　　ポンプ
Ｓ　　　　　水位センサー
Ｔ　　　　　浴室天井
Ｗ　　　　　浴室壁面
【図１】
2004141365.tif 000003